(57)【要約】  公衆画像のコントラストを落とすことなく、秘密画像及び公衆画像を共に高画質で効率的に表示できる画像処理装置、方法及びプログラム並びに表示装置を提供する。  出力画像のうちの一つは、入力画像の一つである入力秘密画像を画面内の一部の領域に表示させる秘密画像であり、秘密画像を含む全ての出力画像は、画素ごとに輝度値を加算した時に入力画像の一つである入力公衆画像となる関係にあり、少なくとも秘密画像を出力している期間には、画像信号が入力される表示装置とユーザの目との間に配置されるシャッタ眼鏡を光透過状態とする。
2008090851.tif 000002
【特許請求の範囲】
【請求項１】
少なくとも２種類の入力画像から２種類以上の画像信号を生成して順次出力する画像処理装置であって、
前記画像信号のうちの一つは、前記入力画像の一つである第１の入力画像を画面内の一部の領域に表示させる第１の画像信号であり、
前記第１の画像信号を含む全ての前記画像信号は、画素ごとに輝度値を加算した時に前記入力画像の一つである第２の入力画像となる関係にあり、
少なくとも前記第１の画像信号を出力している期間には、前記画像信号が入力される表示装置とユーザの目との間に配置されるシャッタを光透過状態とするように制御する光シャッタ制御手段を有することを特徴とする画像処理装置。
【請求項２】
少なくとも２種類の入力画像から２種類以上の画像信号を生成して順次出力する画像処理装置であって、
前記入力画像の一つである第１の入力画像を画面内の一部の領域に表示させる第１の画像信号を前記画像信号の一つとして生成する第１の画像生成手段と、
前記第１の画像信号を含む全ての前記画像信号の画素の輝度値を加算した時に前記入力画像の一つである第２の入力画像となるように、前記画像信号の一つとして第２の画像信号を生成する第２の画像生成手段と、
少なくとも前記第１の画像信号を出力している期間には、前記画像信号が入力される表示装置とユーザの目との間に配置されるシャッタを光透過状態とするように制御する光シャッタ制御手段とを有することを特徴とする画像処理装置。
【請求項３】
少なくとも２種類の入力画像から２種類以上の画像信号を生成して順次出力する画像処理装置であって、
前記画像信号の一つである第１の画像信号は、前記入力画像のうちの一つである第１の入力画像を、画面内の一部の領域のみに、画素ごとに１未満の変調度が乗算された輝度値で表示させる信号であり、
前記第１の画像信号を含む全ての前記画像信号は、画素ごとに輝度値を加算した時に前記入力画像の一つである第２の画像となる関係にあり、
少なくとも前記第１の画像信号を出力している期間には、前記画像信号が入力される表示装置とユーザの目との間に配置されるシャッタを光透過状態とするように制御する光シャッタ制御手段を有することを特徴とする画像処理装置。
【請求項４】
前記第１の入力画像を、前記第２の入力画像内の輝度値が所定値以上の領域に表示させることを特徴とする請求項１から３のいずれか１項記載の画像処理装置。
【請求項５】
前記第１の入力画像を、所定の領域に表示させることを特徴とする請求項１から３のいずれか１項記載の画像処理装置。
【請求項６】
前記光シャッタ制御手段は、前記第１の画像信号以外の画像信号が出力されている期間は遮光状態となるように、前記シャッタを制御することを特徴とする請求項１から５のいずれか１項記載の画像処理装置。
【請求項７】
前記画像信号のうちの一つは、前記第１の入力画像の反転画像を前記画面内の一部の領域に表示させる第３の画像信号であることを特徴とする請求項１から６のいずれか１項記載の画像処理装置。
【請求項８】
前記画像信号のうちの一つは、前記第１の画像信号と前記第３の画像信号との加算値を、前記第２の画像信号から減算した値をとることを特徴とする請求項７記載の画像処理装置。
【請求項９】
少なくとも２種類の入力画像から２種類以上の画像信号を生成して順次出力する画像処理方法であって、
前記画像信号のうちの一つは、前記入力画像の一つである第１の入力画像を画面内の一部の領域に表示させる第１の画像信号であり、
前記第１の画像信号を含む全ての前記画像信号は、画素ごとに輝度値を加算した時に前記入力画像の一つである第２の入力画像となる関係にあり、
少なくとも前記第１の画像信号を出力している期間には、前記画像信号が入力される表示装置とユーザの目との間に配置されるシャッタを光透過状態とするように制御する光シャッタ制御工程を有することを特徴とする画像処理方法。
【請求項１０】
少なくとも２種類の入力画像から２種類以上の画像信号を生成して順次出力する画像処理方法であって、
前記入力画像の一つである第１の入力画像を画面内の一部の領域に表示させる第１の画像信号を前記画像信号の一つとして生成する第１の画像生成工程と、
前記第１の画像信号を含む全ての前記画像信号の画素の輝度値を加算した時に前記入力画像の一つである第２の入力画像となるように、前記画像信号の一つとして第２の画像信号を生成する第２の画像生成工程と、
少なくとも前記第１の画像信号を出力している期間には、前記画像信号が入力される表示装置とユーザの目との間に配置されるシャッタを光透過状態とするように制御する光シャッタ制御工程とを有することを特徴とする画像処理方法。
【請求項１１】
少なくとも２種類の入力画像から２種類以上の画像信号を生成して順次出力する画像処理方法であって、
前記画像信号の一つである第１の画像信号は、前記入力画像のうちの一つである第１の入力画像を、画面内の一部の領域のみに、画素ごとに１未満の変調度が乗算された輝度値で表示させる信号であり、
前記第１の画像信号を含む全ての前記画像信号は、画素ごとに輝度値を加算した時に前記入力画像の一つである第２の画像となる関係にあり、
少なくとも前記第１の画像信号を出力している期間には、前記画像信号が入力される表示装置とユーザの目との間に配置されるシャッタを光透過状態とするように制御する光シャッタ制御工程を有することを特徴とする画像処理方法。
【請求項１２】
前記第１の入力画像を、前記第２の入力画像内の輝度値が所定値以上の領域に表示させることを特徴とする請求項９から１１のいずれか１項記載の画像処理方法。
【請求項１３】
前記第１の入力画像を、所定の領域に表示させることを特徴とする請求項９から１１のいずれか１項記載の画像処理方法。
【請求項１４】
前記光シャッタ制御工程においては、前記第１の画像信号以外の画像信号が出力されている期間は遮光状態となるように、前記シャッタを制御することを特徴とする請求項９から１３のいずれか１項記載の画像処理方法。
【請求項１５】
前記画像信号のうちの一つは、前記第１の入力画像の反転画像を前記画面内の一部の領域に表示させる第３の画像信号であることを特徴とする請求項９から１４のいずれか１項記載の画像処理方法。
【請求項１６】
前記画像信号のうちの一つは、前記第１の画像信号と前記第３の画像信号との加算値を、前記第２の画像信号から減算した値をとることを特徴とする請求項１５記載の画像処理方法。
【請求項１７】
請求項９から１６のいずれか１項記載の画像処理方法をコンピュータに実行させることを特徴とする画像処理プログラム。
【請求項１８】
少なくとも２種類の入力画像から生成された２種類以上の画像信号に応じた画像を表示手段で順次表示する表示装置であって、
前記画像信号のうちの一つは、前記入力画像の一つである第１の入力画像を前記表示手段内の一部の領域に表示させる第１の画像信号であり、
前記第１の画像信号を含む全ての前記画像信号は、画素ごとに輝度値を加算した時に前記入力画像の一つである第２の入力画像となる関係にあり、
少なくとも前記第１の画像信号を出力している期間には、前記表示手段とユーザの目との間に配置されるシャッタを光透過状態とするように制御する光シャッタ制御手段を有することを特徴とする表示装置。
【請求項１９】
少なくとも２種類の入力画像から生成された２種類以上の画像信号に応じた画像を表示手段で順次表示する表示装置であって、
前記入力画像の一つである第１の入力画像を前記表示手段の一部の領域に表示させる第１の画像信号を前記画像信号の一つとして生成する第１の画像生成手段と、
前記第１の画像信号を含む全ての前記画像信号の画素の輝度値を加算した時に前記入力画像の一つである第２の入力画像となるように、前記画像信号の一つとして第２の画像信号を生成する第２の画像生成手段と、
少なくとも前記第１の画像信号を出力している期間には、前記表示手段とユーザの目との間に配置されるシャッタを光透過状態とするように制御する光シャッタ制御手段とを有することを特徴とする表示装置。
【請求項２０】
少なくとも２種類の入力画像から生成された２種類以上の画像信号に応じた画像を表示手段で順次表示する表示装置であって、
前記画像信号の一つである第１の画像信号は、前記入力画像のうちの一つである第１の入力画像を、前記表示手段の一部の領域のみに、画素ごとに１未満の変調度が乗算された輝度値で表示させる信号であり、
前記第１の画像信号を含む全ての前記画像信号は、画素ごとに輝度値を加算した時に前記入力画像の一つである第２の画像となる関係にあり、
少なくとも前記第１の画像信号を出力している期間には、前記表示手段とユーザの目との間に配置されるシャッタを光透過状態とするように制御する光シャッタ制御手段を有することを特徴とする表示装置。
【請求項２１】
前記第１の入力画像を、前記第２の入力画像内の輝度値が所定値以上の領域に表示させることを特徴とする請求項１８から２０のいずれか１項記載の表示装置。
【請求項２２】
前記第１の入力画像を、前記表示手段の所定の領域に表示させることを特徴とする請求項１８から２０のいずれか１項記載の表示装置。
【請求項２３】
前記光シャッタ制御手段は、前記第１の画像信号以外の画像信号が出力されている期間は遮光状態となるように、前記シャッタを制御することを特徴とする請求項１８から２２のいずれか１項記載の表示装置。
【請求項２４】
前記画像信号のうちの一つは、前記第１の入力画像の反転画像を前記画面内の一部の領域に表示させる第３の画像信号であることを特徴とする請求項１８から２３のいずれか１項記載の表示装置。
【請求項２５】
前記画像信号のうちの一つは、前記第１の画像信号と前記第３の画像信号との加算値を、前記第２の画像信号から減算した値をとることを特徴とする請求項２４記載の表示装置。
【発明の詳細な説明】
【技術分野】
【０００１】
本発明は、画像処理装置及び表示装置に関し、特に、特定の使用者・認証された人にその内容を提示するための装置及びシステムに関する。
【背景技術】
【０００２】
液晶ディスプレイやプラズマディスプレイをはじめとするフラットパネルディスプレイは、携帯電話端末といったモバイル機器から、街頭に設置される公衆ディスプレイといった大型装置にまで幅広く適用されている。こういったディスプレイの多くは、広視野角、高輝度、高画質といった点に開発の重点が置かれており、どのような角度からでも、綺麗に見やすく表示することが求められてきた。【０００３】
一方、ディスプレイで表示するコンテンツの中には、秘密情報やプライベートデータなど他人には見られたくない内容のものもある。よって、情報機器の発達に伴うユビキタス化が進展する現在、不特定の人たちがいる公衆下であっても、他の人に表示コンテンツを見られないようにすることも重要な課題となっている。
加えて、オフィス内のような特定の人しかいない場所であっても、座席の後ろを通る人に見られたくない秘密情報を扱う場合もある。【０００４】
携帯電話端末などの中には、光学的な遮蔽板（ルーバー）を設けて、特定の方向からのみ表示内容を視認できるようなディスプレイが搭載されているものもある。しかし、それでもユーザの真後ろからは表示内容を盗み見ることができてしまうため、機密保持の点からは十分であるとは言えない。【０００５】
これらの問題を解決することに関連する技術としては、特許文献１に開示される「画像表示装置」がある。この画像表示装置は、画像選択機能を有する眼鏡をユーザに着用させることによって、眼鏡をかけた者（ユーザ）にのみ特定の画像（以下、秘密画像という）を視認可能とし、それ以外の者には別の画像（以下、公衆画像という）を提示する装置である。【０００６】
具体的には、図１に示す画像形成装置は、１フレーム分の入力画像信号１１をフレーム信号１３に基づいて画像情報蓄積メモリ１２に蓄積する。その後、フレーム周期の２倍の速度でメモリ１２から画像情報を読み出し（すなわち、１フレーム期間中に２回読み出し）、最初に読み出した信号は２分の１に圧縮して第一画像信号１４として合成回路１５に入力し、次に読み出した画像信号は彩度及び輝度を変換した後、第二画像信号１７として合成回路１５に入力する。従って、画像表示器１８には、第一画像信号１４と第二画像信号１７とが交互に表示される。【０００７】
一方、フレーム信号１３は、眼鏡シャッタタイミング発生回路１９にも入力される。眼鏡シャッタタイミング発生回路１９は、眼鏡２１のシャッタを駆動し、第二画像信号１７による画像がユーザから見えないように眼鏡シャッタを制御する。【０００８】
このような構成、動作によって、眼鏡２１をかけていない者には、第一画像信号１４と第二画像信号１７との合成画像であり第一画像信号１４とは関係のない灰色画像又は第三の画像（公衆画像）が見えることとなり、眼鏡２１をかけた者には第一画像信号１４による所望の画像（秘密画像）が見えることとなる。【０００９】
また、上記の問題を解決する別の関連技術としては、特許文献２に開示される「公衆が見ることのできるディスプレイでプライベートに見ることができるデータを提供する方法」がある。特許文献２に開示される方法は、許可されたユーザのみがディスプレイ上のプライベート画像（秘密画像）を解読できるようにすると同時に、許可されていないユーザには、単にランダムなパターンや判読しにくいパターン、又はスクリーン・セイバー画像といった画像を公衆画像として見せるようにするものである。【００１０】
この目的を助長するために、特許文献２に開示される発明では、データ隠蔽パターン及び交番パターンを含む画像処理技法を、画像処理技術によって作られた画像を組み込んだディスプレイと同期する（例えば、アクティブ・グラスなどのウェアラブル・デバイスと組み合わせる。）。最後に、人間の視覚系の「似ていない画像を単一の画像に融合させる既知の能力」によって、公衆が見ることのできるディスプレイでプライベートに見ることのできるデータを提供する能力が完成する。【００１１】
また、公衆ディスプレイの一部の領域に、秘匿性を確保しつつ個人情報を表示することに関連する技術として、特許文献３に開示される「情報表示装置」がある。特許文献３に開示される情報表示装置は、表示部の表示画面上に視野角を制限するためのフィルタを設置したときに、その設置領域を検出し、表示画面上においてフィルタが設置されていない領域を表示領域Ｒ１として設定するとともに、フィルタが設置されている領域を表示領域Ｒ２として設定する。そして、表示領域Ｒ１に一般向けコンテンツを表示し、表示領域Ｒ２に個人向けコンテンツを表示する。
【特許文献１】特開昭６３−３１２７８８号公報
【特許文献２】特開２００１−２５５８４４号公報
【特許文献３】特開２００６−１６２９２９号公報
【発明の開示】
【発明が解決しようとする課題】
【００１２】
しかし、特許文献１や特許文献２に開示される発明においては、公衆画像の自由度が高くなく、公衆画像として提示できるのは灰色のベタ画像やランダムなパターンといったあまり意味のない画像となる。仮に意味のある画像を公衆画像として提示しようとしても、灰色が重畳されるためにコントラストが低くなり、黒浮きが目立って画質が低くなってしまう。【００１３】
しかも、公衆画像は秘密画像の表示期間には表示できないため、公衆画像の明るさが通常使用の場合と比較して低くなってしまい、光の利用効率が悪い。【００１４】
また、特許文献３に開示される発明においては、個人向けコンテンツを表示する領域は他の人が使用できない上、特定の位置からしか個人情報を確認できないため、利用者にとって煩わしいものとなる。さらに、視野角を制御するだけであるため、ユーザの真後ろから個人情報を見ることができるという問題については解決されない。【００１５】
本発明はかかる問題に鑑みてなされたものであり、公衆画像のコントラストを落とすことなく、秘密画像及び公衆画像を共に高画質で効率的に表示できる画像処理装置、方法及びプログラム並びに表示装置を提供することを目的とする。
【課題を解決するための手段】
【００１６】
上記目的を達成するため、本発明は、第１の態様として、下記Ａ−１〜Ａ―３のいずれかの構成に係る画像処理装置を提供するものである。
Ａ−１：少なくとも２種類の入力画像から２種類以上の画像信号を生成して順次出力する画像処理装置であって、画像信号のうちの一つは、入力画像の一つである第１の入力画像を画面内の一部の領域に表示させる第１の画像信号であり、第１の画像信号を含む全ての画像信号は、画素ごとに輝度値を加算した時に入力画像の一つである第２の入力画像となる関係にあり、少なくとも第１の画像信号を出力している期間には、画像信号が入力される表示装置とユーザの目との間に配置されるシャッタを光透過状態とするように制御する光シャッタ制御手段を有することを特徴とする画像処理装置。
Ａ−２：少なくとも２種類の入力画像から２種類以上の画像信号を生成して順次出力する画像処理装置であって、入力画像の一つである第１の入力画像を画面内の一部の領域に表示させる第１の画像信号を画像信号の一つとして生成する第１の画像生成手段と、第１の画像信号を含む全ての画像信号の画素の輝度値を加算した時に入力画像の一つである第２の入力画像となるように、画像信号の一つとして第２の画像信号を生成する第２の画像生成手段と、少なくとも第１の画像信号を出力している期間には、画像信号が入力される表示装置とユーザの目との間に配置されるシャッタを光透過状態とするように制御する光シャッタ制御手段とを有することを特徴とする画像処理装置。
Ａ−３：少なくとも２種類の入力画像から２種類以上の画像信号を生成して順次出力する画像処理装置であって、画像信号の一つである第１の画像信号は、入力画像のうちの一つである第１の入力画像を、画面内の一部の領域のみに、画素ごとに１未満の変調度が乗算された輝度値で表示させる信号であり、第１の画像信号を含む全ての画像信号は、画素ごとに輝度値を加算した時に入力画像の一つである第２の画像となる関係にあり、少なくとも第１の画像信号を出力している期間には、画像信号が入力される表示装置とユーザの目との間に配置されるシャッタを光透過状態とするように制御する光シャッタ制御手段を有することを特徴とする画像処理装置。【００１７】
本発明の第１の態様の上記のいずれの構成においても、第１の入力画像を、第２の入力画像内の輝度値が所定値以上の領域に表示させることが好ましい。又は、第１の入力画像を、所定の領域に表示させることが好ましい。【００１８】
本発明の第１の態様の上記のいずれの構成においても、光シャッタ制御手段は、第１の画像信号以外の画像信号が出力されている期間は遮光状態となるように、シャッタを制御することが好ましい。また、画像信号のうちの一つは、第１の入力画像の反転画像を画面内の一部の領域に表示させる第３の画像信号であることが好ましく、これに加えて、画像信号のうちの一つは、第１の画像信号と第３の画像信号との加算値を、第２の画像信号から減算した値をとることがより好ましい。【００１９】
また、上記目的を達成するため、本発明は、第２の態様として、下記Ｂ−１〜Ｂ−３のいずれかに係る画像処理方法を提供するものである。
Ｂ−１：少なくとも２種類の入力画像から２種類以上の画像信号を生成して順次出力する画像処理方法であって、画像信号のうちの一つは、入力画像の一つである第１の入力画像を画面内の一部の領域に表示させる第１の画像信号であり、第１の画像信号を含む全ての画像信号は、画素ごとに輝度値を加算した時に入力画像の一つである第２の入力画像となる関係にあり、少なくとも第１の画像信号を出力している期間には、画像信号が入力される表示装置とユーザの目との間に配置されるシャッタを光透過状態とするように制御する光シャッタ制御工程を有することを特徴とする画像処理方法。
Ｂ−２：少なくとも２種類の入力画像から２種類以上の画像信号を生成して順次出力する画像処理方法であって、入力画像の一つである第１の入力画像を画面内の一部の領域に表示させる第１の画像信号を画像信号の一つとして生成する第１の画像生成工程と、第１の画像信号を含む全ての画像信号の画素の輝度値を加算した時に入力画像の一つである第２の入力画像となるように、画像信号の一つとして第２の画像信号を生成する第２の画像生成工程と、少なくとも第１の画像信号を出力している期間には、画像信号が入力される表示装置とユーザの目との間に配置されるシャッタを光透過状態とするように制御する光シャッタ制御工程とを有することを特徴とする画像処理方法。
Ｂ−３：少なくとも２種類の入力画像から２種類以上の画像信号を生成して順次出力する画像処理方法であって、画像信号の一つである第１の画像信号は、入力画像のうちの一つである第１の入力画像を、画面内の一部の領域のみに、画素ごとに１未満の変調度が乗算された輝度値で表示させる信号であり、第１の画像信号を含む全ての画像信号は、画素ごとに輝度値を加算した時に入力画像の一つである第２の画像となる関係にあり、少なくとも第１の画像信号を出力している期間には、画像信号が入力される表示装置とユーザの目との間に配置されるシャッタを光透過状態とするように制御する光シャッタ制御工程を有することを特徴とする画像処理方法。【００２０】
本発明の第２の態様の上記のいずれの方法においても、第１の入力画像を、第２の入力画像内の輝度値が所定値以上の領域に表示させることが好ましい。又は、第１の入力画像を、所定の領域に表示させることが好ましい。【００２１】
本発明の第２の態様の上記のいずれの方法においても、光シャッタ制御工程においては、第１の画像信号以外の画像信号が出力されている期間は遮光状態となるように、シャッタを制御することが好ましい。また、画像信号のうちの一つは、第１の入力画像の反転画像を画面内の一部の領域に表示させる第３の画像信号であることが好ましく、これに加えて、画像信号のうちの一つは、第１の画像信号と第３の画像信号との加算値を、第２の画像信号から減算した値をとることがより好ましい。【００２２】
また、上記目的を達成するため、本発明は、第３の態様として、本発明の第２の態様のいずれかの画像処理方法をコンピュータに実行させることを特徴とする画像処理プログラムを提供するものである。【００２３】
また、上記目的を達成するため、本発明は、第４の態様として、下記Ｃ−１〜Ｃ―３のいずれかの構成に係る表示装置を提供するものである。
Ｃ−１：少なくとも２種類の入力画像から生成された２種類以上の画像信号に応じた画像を表示手段で順次表示する表示装置であって、画像信号のうちの一つは、入力画像の一つである第１の入力画像を表示手段内の一部の領域に表示させる第１の画像信号であり、第１の画像信号を含む全ての画像信号は、画素ごとに輝度値を加算した時に入力画像の一つである第２の入力画像となる関係にあり、少なくとも第１の画像信号を出力している期間には、表示手段とユーザの目との間に配置されるシャッタを光透過状態とするように制御する光シャッタ制御手段を有することを特徴とする表示装置。
Ｃ−２：少なくとも２種類の入力画像から生成された２種類以上の画像信号に応じた画像を表示手段で順次表示する表示装置であって、入力画像の一つである第１の入力画像を表示手段の一部の領域に表示させる第１の画像信号を画像信号の一つとして生成する第１の画像生成手段と、第１の画像信号を含む全ての画像信号の画素の輝度値を加算した時に入力画像の一つである第２の入力画像となるように、画像信号の一つとして第２の画像信号を生成する第２の画像生成手段と、少なくとも第１の画像信号を出力している期間には、表示手段とユーザの目との間に配置されるシャッタを光透過状態とするように制御する光シャッタ制御手段とを有することを特徴とする表示装置。
Ｃ−３：少なくとも２種類の入力画像から生成された２種類以上の画像信号に応じた画像を表示手段で順次表示する表示装置であって、画像信号の一つである第１の画像信号は、入力画像のうちの一つである第１の入力画像を、表示手段の一部の領域のみに、画素ごとに１未満の変調度が乗算された輝度値で表示させる信号であり、第１の画像信号を含む全ての画像信号は、画素ごとに輝度値を加算した時に入力画像の一つである第２の画像となる関係にあり、少なくとも第１の画像信号を出力している期間には、表示手段とユーザの目との間に配置されるシャッタを光透過状態とするように制御する光シャッタ制御手段を有することを特徴とする表示装置。【００２４】
本発明の第４の態様の上記のいずれの構成においても、第１の入力画像を、第２の入力画像内の輝度値が所定値以上の領域に表示させることが好ましい。又は、第１の入力画像を、表示手段の所定の領域に表示させることが好ましい。【００２５】
本発明の第４の態様の上記のいずれの構成においても、光シャッタ制御手段は、第１の画像信号以外の画像信号が出力されている期間は遮光状態となるように、シャッタを制御することが好ましい。また、画像信号のうちの一つは、第１の入力画像の反転画像を画面内の一部の領域に表示させる第３の画像信号であることが好ましく、これに加えて、画像信号のうちの一つは、第１の画像信号と第３の画像信号との加算値を、第２の画像信号から減算した値をとることがより好ましい。
【発明の効果】
【００２６】
本発明によれば、公衆画像のコントラストを落とすことなく、秘密画像及び公衆画像を共に高画質で効率的に表示できる画像処理装置、方法及びプログラム並びに表示装置を提供できる。
【発明を実施するための最良の形態】
【００２７】
〔発明の原理〕
上記関連技術で発生する公衆画像の灰色成分は、眼鏡をかけていない人に秘密画像を見せないようにするために生成した、秘密画像の色成分ごとの輝度反転画像と秘密画像との加算画像である。よって、灰色成分を小さくし、公衆画像の黒浮きを抑えるための一つの方法として秘密画像の輝度を下げることが考えられる。【００２８】
しかし、フレームごとに秘密画像、その反転画像、公衆画像を提示する従来方式においては、秘密画像の提示時には、その他の画像を重畳することができないため、秘密画像の輝度を下げれば下げるほど秘密画像が暗くなって、そのコントラストが低くなってしまうという問題があった。【００２９】
図２に、従来方式による秘密画像と公衆画像との順次表示例を示す。図２の横軸は時間、縦軸は輝度であり、任意の期間（１フレーム期間）内を複数のサブフレームに分割し、秘密画像Ｓ、反転画像Ｒ、公衆画像Ｐを順次表示する。
反転画像Ｒは、秘密画像Ｓとの画素ごとの加算の結果が秘密画像Ｓと相関の無い画像である灰色画像となるように設定される（ここでは、相関の無い画像の例として灰色画像をあげているが、これに限ることはなく、ランダム表示など、他の相関の無い画像となるように反転画像Ｒを設定してもよい。）。反転画像をこのように設定することによって１フレーム期間の画像の輝度積分結果は公衆画像Ｐと灰色画像との積分画像となり、シャッタ眼鏡をかけていない人は秘密画像を見ることができず、公衆画像Ｐのみが知覚される。一方、この表示と同期したシャッタ眼鏡をかけている人は、シャッタが反転画像Ｒ及び公衆画像Ｐの表示期間は光を遮るため、秘密画像Ｓのみを知覚できる。【００３０】
この方式で秘密画像の最大輝度を半分にした例を図３に示す。秘密画像の最大輝度を半分にすることにより、反転画像が必要とする最大輝度も半分となり、それぞれ０．５Ｓ、０．５Ｒとなる。そして、反転画像表示期間の残りの輝度成分に公衆画像を割り当てることにより、公衆画像成分の輝度を増すことができる。一方、秘密画像表示期間の残りの輝度成分には、公衆画像を割り当てることはできない。公衆画像を割り当てると、シャッタ眼鏡をかけている人が秘密画像と公衆画像との積分画像を知覚することとなるためである。【００３１】
この秘密画像表示期間の残りの輝度成分は、秘密画像の輝度成分を下げるほどその割合が明らかに大きくなり、秘密画像が暗くなってしまうことがわかる。【００３２】
そこで本発明では、公衆画像の黒浮きを抑える別の方法として、秘密画像を表示する領域を公衆画像内の明るい領域に設定することとした。【００３３】
すなわち、公衆画像内の明るい領域を検知し、秘密画像表示時には上記検知領域に秘密画像を表示する。そして、公衆画像表示時に、上記検知領域では、秘密画像を表示した分の輝度を公衆画像から減算して表示することによって、シャッタを用いない人が知覚する公衆画像のコントラストが低下することが無くなるとともに、シャッタを用いる人は秘密画像を閲覧することができる。すなわち、公衆画像の暗い領域には秘密画像を表示せず、黒表示とすることにより、公衆画像の「黒」領域の輝度加算を抑制でき、コントラストを低下させずに済む。【００３４】
図４に、本発明における秘密画像と公衆画像との順次表示例を示す。図４は、図３と同じ秘密画像、反転画像及び公衆画像のうち、秘密画像と反転画像とを公衆画像の明るい領域に表示した例である。まず、公衆画像のうち明るい領域を検出し、そこを秘密画像表示領域とする（この例では画面左下）。次に秘密画像をその領域の大きさにあわせて表示し、反転画像も秘密画像にあわせた大きさで表示する。そして、公衆画像は、秘密画像領域については秘密画像及び反転画像の輝度の加算値を減算して表示し、その他の領域については公衆画像をそのまま表示する。【００３５】
秘密画像領域及びその他の領域の表示の流れの詳細について説明する。図４（ａ）に示す秘密画像表示領域では、秘密画像Ｓ及び反転画像Ｒを順次表示する。そして、公衆画像を表示する期間では、秘密画像Ｓと反転画像Ｒとを公衆画像Ｐから減算した画像（Ｐ−Ｓ−Ｒ）を表示する。これにより、シャッタがない人が知覚する画像は、秘密画像Ｓと反転画像Ｒと（Ｐ−Ｓ−Ｒ）との加算値である公衆画像Ｐとなり、図２、図３に示した従来方式のように公衆画像に灰色画像が加算されることはない。また、図４（ｂ）に示すように、その他の領域では秘密画像Ｓ及び反転画像Ｒの表示期間には「黒」表示としており、シャッタが無い人が知覚する画像は公衆画像Ｐとなる。よって、（ａ）秘密画像表示領域、（ｂ）その他領域ともシャッタが無い人が知覚する画像は公衆画像Ｐであり、コントラストを低下させずに済む。一方、シャッタを有する人は、図２、図３と同様秘密画像のみを視認できる。【００３６】
なお、反転画像と公衆画像とは、図５に示すように、その表示期間を分ける必要はない。シャッタ眼鏡をかけて秘密画像のみを知覚しようとする場合、反転画像及び公衆画像は遮光されるため知覚される画像には影響しないし、シャッタ眼鏡をかけていない人は反転画像と公衆画像とが網膜上で積分されるため、表示期間を分けても分けなくても表示に影響しないからである。なお、図５では（ａ）秘密画像領域のみ表示期間を分けない例を示したが、（ｂ）その他領域でも上記同様の理由で表示期間を分けないことももちろん可能である。【００３７】
ここで公衆画像の秘密画像領域では公衆画像Ｐから秘密画像Ｓを減算した値となるが、その値が０未満となってしまうとシャッタの無い人にも秘密画像を知覚されてしまう可能性が生じる。このような場合には、秘密画像の輝度を公衆画像の輝度よりも小さくなるように下げることで対応すればよい。【００３８】
さらに、本発明では、シャッタ眼鏡の透過期間は秘密画像の表示期間に限らず、秘密画像と公衆画像との表示期間を透過期間としても良い。公衆画像と秘密画像とを重ねて閲覧することで、公衆画像の補助情報を秘密画像としてシャッタ眼鏡をかけている人に提示することも可能となる。【００３９】
なお、本発明では、シャッタ眼鏡による秘密画像の表示を行わない場合には、秘密画像に割り当てられた表示期間を公衆画像の表示に用いることができる。このような切り替えを行う手段を設けることにより、必要なときのみ秘密画像の表示を行って、光利用効率の最大化を図ることが可能となる。【００４０】
上記方法によれば、以下に示す装置に適用することによって、秘密画像も公衆画像も高画質で高効率な表示をえることができる。【００４１】
まず、画像処理装置として、公衆画像の明るい領域を検出し、その領域に表示する秘密画像と反転画像とを合成し、元の公衆画像から秘密画像と反転画像との加算値を減算して新しい公衆画像を生成することによって、秘密画像も公衆画像も光利用効率が高い画像を表示できる。【００４２】
また、表示装置として、公衆画像の明るい領域を検出し、その領域に表示する秘密画像と反転画像とを合成し、元の公衆画像から秘密画像と反転画像との加算値を減算して新しい公衆画像を生成する処理を行ってから、秘密画像、反転画像、公衆画像を順次表示することによって、秘密画像も公衆画像も高画質で高効率に表示できる。【００４３】
以下、上記原理に基づく本発明の好適な実施の形態について説明する。【００４４】
〔第１の実施形態〕
本発明を好適に実施した第１の実施形態について説明する。図６に、本実施形態に係る画像処理装置の構成を示す。この画像処理装置は、メモリ１０１、画像生成・データ割り当て回路１０２及びシャッタ眼鏡制御信号生成回路１０３を有する。
メモリ１０１は、外部から順次入力される秘密画像、反転画像及び公衆画像を蓄積する。画像生成・データ割り当て回路１０２は、同期信号に基づいてメモリ１０１から順次出力される出力秘密画像、出力反転画像及び出力公衆画像のうち、設定した秘密画像領域に秘密画像を表示し、公衆画像から秘密画像を減算した出力公衆画像を生成する。シャッタ眼鏡制御信号生成回路１０３は、入力される同期信号をもとに、シャッタ眼鏡の光透過状態・遮光状態を制御する。
図中、メモリ１０１からの出力信号を符号１１１、画像生成・データ割り当て回路１０２からの出力信号を符号１１２、シャッタ眼鏡制御信号生成回路１０３からの出力信号を符号１１３で表す。【００４５】
メモリ１０１に蓄積された秘密画像、反転画像及び公衆画像は、画像生成・データ割り当て回路１０２へ送られる。画像生成・データ割り当て回路１０２では、公衆画像の明るい領域を検出し、検出した領域に秘密画像を設定し、公衆画像から秘密画像を減算して出力公衆画像を生成した後、出力秘密画像、出力反転画像及び出力公衆画像を期間ごとにデータ割り当てを行い、不図示の表示装置へ出力する。【００４６】
図７に、画像生成・データ割り当て回路１０２の構成を示す。画像生成・データ割り当て回路１０２は、データ割り当て回路１２１、検知回路１２２、出力画像生成回路１２３を有する。検知回路１２２は、公衆画像の明るい領域を検知し、秘密画像表示領域として設定する。画像生成・データ割り当て回路１０２に入力された秘密画像、反転画像及び公衆画像は、検知回路１２２で設定された秘密画像表示領域に基づいて、秘密画像表示領域内に秘密画像・反転画像を表示し、且つその他の領域は「黒」表示である「出力秘密画像」・「出力反転画像」として出力画像生成回路１２３からデータ割り当て回路１２１へ送られる。秘密画像領域における秘密画像と反転画像との加算値を公衆画像から減算して生成した「出力公衆画像」もまたデータ割り当て回路１２１へ送られる。【００４７】
検知回路１２２は、入力された公衆画像をもとに、秘密画像の表示領域を設定する。第１の設定方法は、公衆画像の各画素の階調値から最も明るい矩形領域を検出し、その領域を秘密画像の表示領域とする方法である。矩形領域のサイズは、秘密画像の内容が判別できる程度は必要である。この場合、公衆画像を入力し、最小矩形サイズ、最低限必要な明るさを指定すれば自動的に秘密画像表示領域が決定される。
第２の設定方法として、予め矩形領域を設定してしまう方法がある。この場合、公衆画像の階調値によっては、出力画像生成回路１２３で出力公衆画像を生成できない場合（秘密画像の減算結果が０よりも小さくなる場合）があるため、予め設定した矩形領域内の公衆画像の最小階調値、又は秘密画像の最大階調値を指定しておくなどの方法をとることが好ましい（第２の設定方法については第３の実施形態において詳細に説明する）。
第３の設定方法は、上記第１の設定方法と第２の設定方法とを組み合わせたものである。
このように、公衆画像から出力秘密画像を減算した結果として階調値が０よりも小さくならなければ検知回路１２２での秘密画像の表示領域の設定方法は、公衆画像の輝度分布に基づいて設定するものや、予め設定するものなど、任意に設定可能である。【００４８】
出力画像生成回路１２３は、検知回路１２２で設定された秘密画像の表示領域を基に出力秘密画像、出力反転画像及び出力公衆画像を生成する。秘密画像は上記秘密画像表示領域内に表示できる大きさに変換され、その他の領域を「黒」表示としたものが出力秘密画像となる。出力反転画像も出力秘密画像と同様の方法で生成される。出力公衆画像は、出力秘密画像と出力反転画像との加算値を公衆画像から減算した画像である。生成された画像データは、データ割り当て回路１２１へ送られる。ここで、出力画像生成回路１２３の出力信号を符号１１４で示すものとする。【００４９】
図８に、データ生成・割り当て回路１０２からの出力信号１１２、シャッタ眼鏡制御信号生成回路１０３からの出力信号１１３、出力画像生成回路１２３の出力信号１１４の１フレーム期間のタイミングチャートの一例を示す。このタイミングチャートを基にデータ割り当て回路１２１の処理について説明する。【００５０】
データ割り当て回路１２１には、出力秘密画像、出力反転画像及び出力公衆画像が入力され、期間Ｔｏｎに秘密画像のデータ割り当てを行い、期間Ｔｏｆｆに反転画像及び公衆画像のデータ割り当てを行う。期間Ｔｏｎではまず、データ書き込み期間Ｗで出力秘密画像であるＳ画像の階調値を表示装置の画面の各画素へ送る。その後、次の書き込み期間Ｗまで画素の発光や非発光状態（プラズマディスプレイや有機電界発光ディスプレイのような自発光型ディスプレイの場合）又は光透過状態や遮光状態（ＭＥＭＳスイッチを用いたディスプレイや液晶ディスプレイのような光制御型ディスプレイの場合）を維持する。【００５１】
次に、Ｔｏｆｆでも出力秘密画像と同様の過程（書き込み過程と発光・光透過状態維持過程）により、出力反転画像Ｒ及び出力公衆画像Ｐのデータ割り当てを行い、それぞれの画像の階調を再現する。【００５２】
シャッタ眼鏡へ送られる出力信号１１３は、期間Ｔｏｎの間はシャッタ眼鏡を光透過状態とし、期間Ｔｏｆｆの間は遮光状態とする信号である。出力信号１１３は、映像の同期信号を基にシャッタ眼鏡制御信号生成回路１０３で生成される。【００５３】
なお、データ割り当て回路１２１は、１フレーム期間に出力秘密画像Ｓ、出力反転画像Ｒ及び出力公衆画像Ｐを生成しているが、これらを生成する順番は原則として基本的に任意である。例えば、図９のように、図８のタイミングチャートから出力反転画像Ｒの出力期間と出力公衆画像Ｐの出力期間とを交換しても、シャッタ眼鏡をかけている人、かけていない人とも知覚する画像に差は無い。同様に、出力秘密画像Ｓの表示期間の間、シャッタ眼鏡が光透過状態となるようにシャッタ眼鏡制御信号生成回路１０３の出力信号１１３が生成されれば、秘密画像、反転画像及び公衆画像の順番は任意でよい。【００５４】
ここで、検知回路１２２が公衆画像のみに基づいて秘密画像表示領域を検知する例を挙げたが、秘密画像の明るさを知ることができればより精度の高い表示領域の設定をできることは言うまでもない。よって、検知回路１２２に公衆画像のみならず秘密画像をも入力して秘密画像表示領域を検知するようにしてもよい。【００５５】
また、シャッタ眼鏡の透過期間は秘密画像の表示期間に限らず、秘密画像と公衆画像の表示期間を透過期間としても良い。公衆画像と秘密画像とを重ねて閲覧することで、公衆画像の補助情報を秘密画像としてシャッタ眼鏡をかけている人に提示することも可能となる。図４の例で言うと、秘密画像の左下の白抜きの文字「Ａ」を、公衆画像左下の黒色の矩形内に合成して知覚できる。【００５６】
以上のように、画像生成・データ割り当て回路１０２で秘密画像の表示領域を設定し、その領域内に秘密画像を表示し、公衆画像は表示領域内の秘密画像の値を減算した画像とすることにより、公衆画像のコントラスト低下を抑制することができ、秘密画像も公衆画像も高画質で高効率な表示を実現できる。【００５７】
〔第２の実施形態〕
本発明を好適に実施した第２の実施形態について説明する。図１０に、本実施形態に係る画像処理装置の構成を示す。本実施形態に係る画像処理装置は、第１の実施形態にかかる画像処理装置とほぼ同様の構成であるが、反転画像生成部１０４を有する点で第１の実施形態とは相違する。反転画像生成部１０４は、メモリ１０１から秘密画像が入力され、反転画像を出力する。【００５８】
反転画像生成部１０４は、秘密画像を打ち消す反転画像として、秘密画像と加算した場合に秘密画像での「白」表示時の輝度となるような輝度に対応する値（階調など）を反転画像として生成する。輝度を基準として反転画像を生成するのは、網膜上では階調ではなく輝度を積分して知覚するためである。このような反転画像を生成すればメモリ１０１に反転画像を蓄積する必要が無くなり、メモリ１０１の容量を減らすことができる。【００５９】
以上のような構成により、メモリに蓄積する画像データの量を減らしつつ、第１の実施形態と同様の効果を実現できる。【００６０】
〔第３の実施形態〕
本発明を好適に実施した第３の実施形態について説明する。図１１に、本実施形態に係る画像処理装置の構成を示す。この画像処理装置は第１の実施形態にかかる画像処理装置とほぼ同様であるが、画像生成・データ割り当て回路１０２Ａでの処理内容が異なっている。本実施形態においては秘密画像の表示領域を予め設定し、その表示領域でシャッタを有していない人が秘密画像を知覚できないような画像を設定するものである。第１の実施形態での表示領域の設定方法のうち第２の設定方法に対応している。【００６１】
図１２に、画像生成・データ割り当て回路１０２Ａの構成を示す。画像生成・データ割り当て回路１０２Ａは、出力画像生成回路１２３Ａとデータ割り当て回路１２１Ａとを有する。第１の実施形態とは異なり検知回路は備えない。公衆画像の表示領域はプリセット値として出力画像生成回路１２３Ａへ入力される。画像生成・データ割り当て回路１０２Ａの出力信号１１２Ａは不図示の表示装置へ出力される。【００６２】
出力画像生成回路１２３Ａは、第１の実施形態の出力画像生成回路１２３とほぼ同様の処理を行うが、秘密画像の表示領域が予め設定されているため、秘密画像の画素の値が公衆画像の秘密画像表示領域内の画素の値よりも大きい場合には、公衆画像の全ての値を１よりも大きい定数倍するか、秘密画像の全ての値を１未満の定数倍するなどして、その大小関係を逆転させる処理を行う。これにより、シャッタ眼鏡をかけていない人が秘密画像を知覚できないような出力公衆画像を設定している。データ割り当て回路１２１Ａは、第１の実施形態のデータ割り当て回路１２１と同様である。【００６３】
この他の動作について第１の実施形態と同様であるため、重複する説明は省略する。【００６４】
このように、秘密画像の部分領域を予め設定することによっても、第１の実施形態と同様の効果が得られる。【００６５】
〔第４の実施形態〕
本発明を好適に実施した第４の実施形態について説明する。図１３に、本実施形態に係る画像処理装置の構成を示す。この画像処理装置は、第１の実施形態に係る画像処理装置とほぼ同様であるが、画像生成・データ割り当て回路１０２Ｂでの処理内容が異なっている。本実施形態では、反転画像と公衆画像とを明確に分けることはせず、その合成画像を一つの画像としてデータを割り当てている。【００６６】
本実施形態におけるデータ割り当て回路１０２Ｂからの出力信号１１２Ｂを含んだタイミングチャートを図１４に示す。第１の実施形態にかかる画像処理装置のタイミングチャートである図８との違いは、反転画像Ｒと公衆画像Ｐとの加算画像ＰＲ２、ＰＲ１を用いて表現している点である。【００６７】
ＰＲ２、ＰＲ１の値は、ＰＲ１＋ＰＲ２＝Ｒ＋（Ｐ−Ｒ−Ｓ）＝Ｐ−Ｓの演算によって求められる。すなわち公衆画像から出力秘密画像を減算した画像である出力公衆画像を二つの画像に分けて表示する。第１の実施形態は、その分け方の一例としてＰＲ１＝Ｒ、ＰＲ２＝Ｐ−Ｒ−Ｓとした場合であるとも言える。上記関係式に基づけばＰＲ１、ＰＲ２の値が第１の実施形態の例に限らず任意で良い理由としては、シャッタ眼鏡をかけて秘密画像のみを知覚する場合には反転画像と公衆画像とは遮光されて表示に影響しないことと、シャッタ眼鏡をかけていない人は反転画像と公衆画像とは網膜上で積分されることであるといえる。すなわち、反転画像と公衆画像とは、表示期間を分けても分けなくても表示に影響しない。【００６８】
この他の動作については第１の実施形態と同様であるため、重複する説明は省略する。
なお、本実施形態に係る画像処理装置は、第１の実施形態に係る画像処理装置と等価系であるため、同様の効果が得られることは言うまでもない。【００６９】
〔第５の実施形態〕
本発明を好適に実施した第５の実施形態について説明する。図１５に本実施形態に係る表示装置の構成を示す。表示方式としては特に制限は無く、プラズマディスプレイ、ＭＥＭＳスイッチを用いたディスプレイ、有機電界発光ディスプレイ、高速液晶ディスプレイなどが挙げられる。【００７０】
この表示装置は、メモリ２０１、ディスプレイコントローラ１０５、シャッタ眼鏡制御信号生成回路２０３、表示部１０６を有する。メモリ２０１は、順次入力される秘密画像、反転画像、公衆画像を蓄積する。ディスプレイコントローラ１０５は、同期信号に基づいてメモリ２０１から順次出力される出力秘密画像、出力反転画像及び出力公衆画像のうち設定した秘密画像領域に秘密画像を表示し、公衆画像から秘密画像を減算することによって出力公衆画像を生成し、表示部１０６で表示できるようにデータを割り当て、表示部１０６を駆動するための制御信号及び画像信号を生成する。シャッタ眼鏡制御信号生成回路２０３は、入力される同期信号を基に、シャッタ眼鏡の光透過状態、遮光状態を制御する。メモリ２０１からの出力信号２１１、ディスプレイコントローラ１０５からの出力信号２１２、シャッタ眼鏡制御信号生成回路２０３からの出力信号２１３は第１の実施形態での出力信号１１１、１１２及び１１３とそれぞれ同様となる。【００７１】
本実施形態のように、第１の実施形態の画像生成・データ割り当て回路１０２での処理をディスプレイコントローラ１０５に内蔵することによって、表示装置に画像生成・データ割り当て処理を組み込める。【００７２】
以上のような構成により、秘密画像も公衆画像も高画質で高効率に表示可能な表示装置を実現できる。【００７３】
〔第６の実施形態〕
本発明を好適に実施した第６の実施形態について説明する。
本発明の画像処理はコンピュータを用いたソフトウェア処理として実行することも可能である。すなわち、図１６に示すように、画像処理部１３１を実質的なコンピュータによるソフトウェア処理によって構成する。【００７４】
図１７、図１８に、画像処理部１３１における本実施形態にかかる画像処理の流れを示す。この画像処理方法は、８ｂｉｔのラスタ画像である秘密画像Ｓｉｎ、反転画像Ｒｉｎ及び公衆画像Ｐｉｎが入力されたとき、Ｐｉｎから秘密画像の表示領域を設定し、画像生成・データ割り当て、さらにシャッタ制御信号を生成する処理である。ステップＳ３からＳ５が第１の実施形態に示した検知回路１２２における処理、ステップＳ６からＳ１０が出力画像生成回路１２３における処理、ステップＳ１１がデータ割り当て回路１２１における処理、ステップＳ１２からＳ１４がシャッタ眼鏡制御信号生成回路１０３における処理に相当する。【００７５】
画像処理装置に秘密画像Ｓｉｎ、反転画像Ｒｉｎ及び公衆画像Ｐｉｎ（８ｂｉｔ）が入力されると（ステップＳ１）、入力された画像信号がどの画素の画像信号であるかを示す情報（すなわち画素のＸＹ座標）を抽出する（ステップＳ２）。【００７６】
［秘密画像表示領域設定処理］
画像処理部１３１は、まず秘密画像の矩形サイズ（Ｘｍ×Ｙｍ）を設定する（ステップＳ３）。次に、秘密画像Ｓｉｎの最大階調Ｓｍａｘを抽出する（ステップＳ４）。
次に、Ｘｓ≦Ｘ≦Ｘｓ＋Ｘｍ、Ｙｓ≦Ｙ≦Ｙｓ＋Ｙｍを満たす全てのＸ，Ｙで「Ｓｍａｘ≦Ｐｉｎの階調値」の関係（換言すると秘密画像の最大階調値よりも公衆画像の階調値の方が大きい）が成立するＸｓ，Ｙｓを秘密画像表示領域の始点の候補として抽出し、そのうちの一つを用いて秘密画像の表示領域とする（ステップＳ５）。Ｘｓ，Ｙｓを抽出できない場合は、ＳｉｎとＲｉｎとの値を全てｋ（ｋ＜１）倍して、Ｓｍａｘを再抽出し、条件を満たすＸｓ，Ｙｓが抽出されるまで再検索を行う。【００７７】
［出力画像生成処理］
ステップＳ５において得られた秘密画像の表示領域（サイズ：Ｘｍ×Ｙｍ）にＳｉｎが入るように、秘密画像の画像サイズを変換する（ステップＳ６）。そして、変換した秘密画像をステップＳ５で設定した領域に配置し、その他の領域はＳｏｕｔ＝０（黒）として、出力秘密画像Ｓｏｕｔを生成する（ステップＳ７）。同様に、反転画像の画像サイズを変換し（ステップＳ８）、変換した反転画像をステップＳ５で設定した領域に配置し、その他の領域はＲｏｕｔ＝０（黒）として、出力反転画像Ｒｏｕｔを生成する（ステップＳ９）。そして、Ｐｏｕｔ＝Ｐｉｎ−Ｓｏｕｔ−Ｒｏｕｔの演算を行って、出力公衆画像Ｐｏｕｔを生成する（ステップＳ１０）。【００７８】
［データ割り当て処理］
１フレームを三つのサブフレームに分割し、現在出力するサブフレームが何番目のサブフレームなのかに応じて画像を選択・出力する。具体的には、１番目：Ｓｏｕｔ、２番目：Ｒｏｕｔ、３番目：Ｐｏｕｔを選択する（ステップＳ１１）。それぞれのサブフレームに割り当てられた画像は出力信号１１２Ｃとして不図示の表示装置へ出力される。なお、ＳｏｕｔとＲｏｕｔとは互いに打ち消しあうようにする必要があるため、これらのサブフレームの期間は等しく無ければならないが、Ｐｏｕｔのサブフレーム期間は必ずしもＳｏｕｔやＲｏｕｔと同じである必要はない。すなわち、ＳｏｕｔとＲｏｕｔとでサブフレーム期間が等しければＰｏｕｔのサブフレーム期間は任意である。【００７９】
［シャッタ制御信号生成処理］
選択した画像が秘密画像であるか否かを判断し（ステップＳ１２）、秘密画像であればシャッタを透過状態にする制御信号を制御信号１１３Ｃとして出力し（ステップＳ１３）、そうでなければシャッタを遮光状態にする制御信号を制御信号１１３Ｃとして出力する（ステップＳ１４）。【００８０】
以上、ステップＳ１〜Ｓ１４における処理をコンピュータによるソフトウェア処理とすることで、特別なハードウェアを用いなくても上記第１の実施形態にかかる画像処理装置と同様の画像処理を実行できる。【００８１】
なお、図１７、図１８に示したフローチャートは、上記本発明の第１の実施形態に係る画像処理装置と同様の画像処理を行うものであるが、第２〜第４の何れかの実施形態に係る画像処理装置と同様の画像処理をコンピュータを用いたソフトウェア処理によって行うことも可能である。【００８２】
なお、上記各実施形態は本発明の好適な実施の一例であり、本発明はこれらに限定されることはない。
例えば、上記各実施形態においては、ＲＧＢ信号それぞれについて格別な記載は無いが、それぞれの信号成分について、上記実施形態と同様の処理を行うことによってカラー画像についても同様の効果が得られる。
また、ラスタ画像は必ずしも複数色の画像信号からなるカラー画像である必要はなく、単色画像であっても良い。すなわち、上記各実施形態において示した構成が必ずしも各色並列に設けられている必要はない。
また、秘密画像を知覚するためにシャッタ眼鏡を使用する構成で説明したが、表示部とユーザの目との間に設置可能であるならば、必ずしも眼鏡形状である必要はない。
さらに、秘密画像を１フレーム期間に１回表示する構成を例としたが、サブフレーム数を増やして秘密画像を１フレーム期間に２回以上表示しても良い。秘密画像の表示期間にシャッタ眼鏡を透過状態とすることで、上記実施形態と同様の効果が得られる。
このように、本発明は様々な変形が可能である。【００８３】
この出願は、２００７年１月２６日に出願された日本出願特願２００７−０１６９０３を基礎とする優先権を主張し、その開示の全てをここに取り込む。
【図面の簡単な説明】
【００８４】
【図１】従来の画像処理装置の構成を示す図である。
【図２】従来方式による秘密画像と公衆画像との順次表示の一例を示す図である。
【図３】従来方式による秘密画像と公衆画像との順次表示の別の例を示す図である。
【図４】本発明の秘密画像と公衆画像との順次表示の一例を示す図である。
【図５】本発明の秘密画像と公衆画像との順次表示の別の一例を示す図である。
【図６】本発明を好適に実施した第１の実施形態に係る画像処理装置の構成を示す図である。
【図７】第１の実施形態に係る画像生成・データ割り当て回路の構成を示す図である。
【図８】第１の実施形態に係る画像処理装置の各制御信号のタイミングチャートの一例を示す図である。
【図９】第１の実施形態に係る画像処理装置の各制御信号のタイミングチャートの別の一例を示す図である。
【図１０】本発明を好適に実施した第２の実施形態に係る画像処理装置の構成を示す図である。
【図１１】本発明を好適に実施した第３の実施形態に係る画像処理装置の構成を示す図である。
【図１２】第３の実施形態に係る画像生成・データ割り当て回路の構成を示す図である。
【図１３】本発明を好適に実施した第４の実施形態に係る画像処理装置の構成を示す図である。
【図１４】第４の実施形態に係る画像処理装置の各制御信号のタイミングチャートを示す図である。
【図１５】本発明を好適に実施した第５の実施形態に係る表示装置の構成を示す図である。
【図１６】本発明を好適に実施した第６の実施形態に係る画像処理方法を実行する情報処理装置の構成を示す図である。
【図１７】第６の実施形態に係る画像処理方法の処理の流れを示すフローチャートである。
【図１８】第６の実施形態に係る画像処理方法の処理の流れを示すフローチャートである。
【符号の説明】
【００８５】
１０１、２０１    メモリ
１０２、１０２Ａ、１０２Ｂ    画像生成・データ割り当て回路
１０３、２０３    シャッタ眼鏡制御信号生成回路
１０５    ディスプレイコントローラ
１０６    表示部
１１１    出力信号（メモリ）
１１２    出力信号（画像生成・データ割り当て回路）
１１３    出力信号（シャッタ眼鏡制御信号生成回路）
１１４    出力信号（出力画像生成回路）
１２１    データ割り当て回路
１２２    検知回路
１２３、１２３Ａ    出力画像生成回路
【図１】
2008090851.tif 000003
【図２】
2008090851.tif 000004
【図３】
2008090851.tif 000005
【図４】
2008090851.tif 000006
【図５】
2008090851.tif 000007
【図６】
2008090851.tif 000008
【図７】
2008090851.tif 000009
【図８】
2008090851.tif 000010
【図９】
2008090851.tif 000011
【図１０】
2008090851.tif 000012
【図１１】
2008090851.tif 000013
【図１２】
2008090851.tif 000014
【図１３】
2008090851.tif 000015
【図１４】
2008090851.tif 000016
【図１５】
2008090851.tif 000017
【図１６】
2008090851.tif 000018
【図１７】
2008090851.tif 000019
【図１８】
2008090851.tif 000020
【国際調査報告】
2008090851.tif 000021
2008090851.tif 000022
2008090851.tif 000023
2008090851.tif 000024